(57)【要約】【課題】状況に応じた首振り動作をすることが可能な扇風機を提供する。【解決手段】扇風機１は、送風部２と、送風部２を揺動させる左右首振り動作及び上下首振り動作を行う駆動部と、送風部２を支持する支柱３と、支柱３を設置場所に対して３６０°以上の角度で回動させる駆動部とを備え、支柱３の回動角度は、規制角度以下になるように規制されている。そして、扇風機１は、予め設定されている順序で順次実行される複数の稼働条件情報に基づいて、首振り及び回動動作を行う。【選択図】図１
2018204559.tif 000002
【特許請求の範囲】
【請求項１】
送風部と、前記送風部を支持する支持部とを備える扇風機であって、
前記送風部を前記支持部に対して揺動させる第１駆動部と、
前記支持部を設置場所に対して一方向及び他方向へそれぞれ一回転の範囲で回動させることが可能な第２駆動部と、
前記第２駆動部による前記支持部の回動角度が規制角度以下になるように規制する規制部材と、
回動角度が、前記規制部材により規制される規制角度に到達したか否かを検出する位置検出部と
を備えることを特徴とする扇風機。
【請求項２】
請求項１に記載の扇風機であって、
稼働条件を示す稼働条件情報を記録する記録部を更に備え、
前記記録部に記録されている稼働条件情報は、
稼働時間に関する時間情報、前記支持部の固定位置を示す位置情報及び前記送風部の揺動条件を示す揺動情報を含む
ことを特徴とする扇風機。
【請求項３】
請求項２に記載の扇風機であって、
前記記録部は、予め設定されている順序で順次実行される複数の稼働条件情報を記録している
ことを特徴とする扇風機。
【発明の詳細な説明】
【技術分野】
【０００１】
揺動可能な送風部を備える扇風機に関する。
【背景技術】
【０００２】
省エネルギー、健康維持等の様々な観点から扇風機の利用が見直されている。扇風機は、エアコンによる冷房と比べて電力の消費が少なく、外気を有効に取り入れて冷え過ぎを防止することが可能であり、また、エアコンと併用することで室内の温度むらを無くし、冷房を効率化することが可能である等の利点がある。
【０００３】
このような扇風機の利点を活かす機能の一つが送風部を揺動させる機能、所謂首振り機能であり、様々な首振り機能を有する扇風機が提案されている（例えば、特許文献１、特許文献２参照。）。
【０００４】
特許文献１では、送風部に首振りに関する機構を集約した扇風機を開示しており、送風部を３６０°以上の角度に回動させることが可能である。特許文献１に開示された扇風機は、送風部を３６０°以上の角度に回動させた場合、配線が捻れることを防止するため、可動接点を設けている。
【０００５】
特許文献２では、台座に首振りに関する機構を集約した扇風機を開示しており、送風部を３６０°以上の角度に回動させることが可能である。特許文献２に開示された扇風機は、送風部の位置（向き）を任意の角度に回動させる場合は、左右回転モータを用い、送風部に任意の位置を中心とした首振り動作をさせる場合には、左右首振りモータを用いる。即ち、特許文献２に開示された扇風機は、左右回転モータと左右首振りモータとを備えている。なお、特許文献２に開示された扇風機においても、送風部を３６０°以上に回動させた場合、配線が捻れることを防止するため、台座（ベース）を上下に分けて、上下の台座間に可動接点として機能するスリップリングを設けている。
【先行技術文献】
【特許文献】
【０００６】
【特許文献１】特開平５−１８０１９２号公報
【特許文献２】特開平５−３３７９５号公報
【発明の概要】
【発明が解決しようとする課題】
【０００７】
しかしながら、特許文献１に開示された扇風機のように、可動接点を設けた場合、構造が複雑となり、また、高価になる。特許文献２に開示された扇風機も同様であり、可動接点としてスリップリングを設けているため、構造が複雑化し、また、高価になる。
【０００８】
可動接点を設けずに、左右の回転の限界を検出する限界検出機構（左回転の限度、右回転の限度にリミットスイッチをそれぞれ設けている。）を設けることも可能であるが、人の手で強制的に回転させた場合は、配線が制限なく捻れてしまう恐れがある。また、人の手による強制的な回転を規制するストッパを設けることも可能であるが、ストッパを設けた場合、ストッパがある位置又はその近傍を基準として所定角度で送風部を首振り動作させることができなくなる。
【０００９】
本発明は斯かる事情に鑑みてなされたものであり、配線の過度な捻れの発生を防止しながらも、様々な首振り動作をすることが可能な扇風機の提供を目的とする。
【課題を解決するための手段】
【００１０】
上記課題を解決するために、本願記載の扇風機は、送風部と、前記送風部を支持する支持部とを備える扇風機であって、前記送風部を前記支持部に対して揺動させる第１駆動部と、前記支持部を設置場所に対して一方向及び他方向へそれぞれ一回転の範囲で回動させることが可能な第２駆動部と、前記第２駆動部による前記支持部の回動角度が規制角度以下になるように規制する規制部材と、回動角度が、前記規制部材により規制される規制角度に到達したか否かを検出する位置検出部とを備えることを特徴とする。
【００１１】
また、前記扇風機において、稼働条件を示す稼働条件情報を記録する記録部を更に備え、前記記録部に記録されている稼働条件情報は、稼働時間に関する時間情報、前記支持部の固定位置を示す位置情報及び前記送風部の揺動条件を示す揺動情報を含むことを特徴とする。
【００１２】
また、前記扇風機において、前記記録部は、予め設定されている順序で順次実行される複数の稼働条件情報を記録していることを特徴とする。
【発明の効果】
【００１３】
本発明に係る扇風機は、送風部を支持部材に対して揺動させる第１駆動部と、支持部材を一方向及び他方向へそれぞれ一回転させることが可能な第２駆動部とを備え、それぞれ独立して回動することができる。従って、任意の位置に送風部を向けて送風することが可能であり、任意の位置を中心として揺動（首振り送風）させることが可能である等、優れた効果を奏する。
【００１４】
また、本発明に係る扇風機は、支持部の回動角度が規制角度以下になるように規制する規制部材と、回動角度が、規制部材により規制される規制角度に到達したか否かを検出する位置検出部とを備えることにより、人の手で強制的に回転させた場合も含め、特定の方向に回転し続けることを防止するので、可動接点の有無に関わらず、配線の過度な捻れの発生を防止することが可能である等、優れた効果を奏する。
【００１５】
更に、本発明に係る扇風機は、様々な稼働条件に基づき稼働するタイマー運転が可能なように構成することも可能である。タイマー運転が可能なように構成した場合には、経時的に変化する状況に応じた首振り運転を実現することが可能である等、優れた効果を奏する。
【図面の簡単な説明】
【００１６】
【図１】本願記載の扇風機の外観の一例を示す概略側面図である。
【図２】本願記載の扇風機の内部構成の一例を示す概略図である。
【図３】本願記載の扇風機が備える送風部の構成の一部を概念的に示す説明図である。
【図４】本願記載の扇風機が備える送風部の構成の一部を概念的に示す説明図である。
【図５】本願記載の扇風機が備える基台部が有する支柱の回動に関する構成を説明するための概略断面図である。
【図６】本願記載の扇風機が備える基台部が有する支柱の回動に関する構成を説明するための概略断面図である。
【図７】本願記載の扇風機が備える基台部が有する支柱の回動状況を検出する機構に用いられる摺動子の外観を示す概略斜視図である。
【図８】本願記載の扇風機が備える基台部が有する支柱の回動状況を検出する機構の要部を示す説明図である。
【図９】本願記載の扇風機が備える基台部が有する支柱の回動状況を検出する機構の要部を示す説明図である。
【図１０】本願記載の扇風機が備える主制御部に関する構成例を示すブロック図である。
【図１１】本願記載の扇風機が備える副制御部に関する構成例を示すブロック図である。
【図１２】本願記載の扇風機が備える主制御部の記録部に記録されている稼働条件情報の一例を概念的示す説明図である。
【図１３】本願記載の扇風機にて実施される主処理の一例を示すフローチャートである。
【図１４】本願記載の扇風機にて実施される支柱位置調整処理の一例を示すフローチャートである。
【図１５】本願記載の扇風機にて実施される支柱位置移動終了処理の一例を示すフローチャートである。
【図１６】本願記載の扇風機にて実施される主処理の具体例について示す説明図である。
【図１７】本願記載の扇風機にて実施される主処理の具体例について示す説明図である。
【図１８】本願記載の扇風機にて実施される主処理の具体例について示す説明図である。
【図１９】本願記載の扇風機にて実施される主処理の具体例について示す説明図である。
【図２０】本願記載の扇風機にて実施される主処理の具体例について示す説明図である。
【図２１】本願記載の扇風機の使用例を示す説明図である
【図２２】本願記載の扇風機の使用例を示す説明図である
【図２３】本願記載の扇風機の使用例を示す説明図である
【発明を実施するための形態】
【００１７】
以下、本発明の実施形態について図面を参照しながら説明する。なお、以下の実施形態は、本発明を具現化した一例であって、本発明の技術的範囲を限定する性格のものではない。
【００１８】
図１は、本願記載の扇風機１の外観の一例を示す概略側面図であり、図２は、本願記載の扇風機１の内部構成の一例を示す概略図である。図１及び図２に示す扇風機１は、複数枚のファン２０を回転させて空気の流れを発生させる送風部２と、送風部２を支持する支持部である支柱３と、支柱３を支持する基台部４とを備えている。
【００１９】
送風部２は、ファン２０と、ファン２０をガードするガード部２２と、ファン２０が取り付けられた回転軸を回転させるファンモータ２１と、ファンモータ２１を収納したモータ収納部２３と、モータ収納部２３を保持するネックピースと呼ばれる保持部２４とを備えている。なお、当実施形態では、ファン２０が回転するタイプの送風部２を備える扇風機１について説明するが、本願記載の扇風機１は、ファンレスタイプの送風部２を備える構成にしても良い。
【００２０】
モータ収納部２３は、ファン２０を回転させるファンモータ２１の他に、送風部２を上下に揺動駆動させる上下首振りモータ２５、送風部２の各種機能を制御する副制御部２７等の各種構成を収容している。
【００２１】
保持部２４は、基台部４により略垂直に設置される支柱３の上端側で支持されており、支柱３に対して揺動自在に連結される連結部２４０と、連結部２４０から左右に延びる腕部２４１とにより、正面視で略Ｕ字状をなしている。腕部２４１は、上端側が前方に向かって若干傾いた形状をなしており、左右の腕部２４１により、モータ収納部２３を左右から挟み込むようにして、上下方向に揺動自在に軸支している。連結部２４０には、送風部２を略水平方向に揺動駆動させる左右首振りモータ２６が収納されている。
【００２２】
支柱３は、長軸状の外形をなし、基台部４に立設された支持杆３０と、支持杆３０内に下部を内挿した状態で上下摺動自在に設けられた摺動杆３１とを備えており、支柱３を構成する支持杆３０及び摺動杆３１の内部は中空となっている。摺動杆３１は、支持杆３０からは完全に抜けない構造となっており、支持杆３０から上方に引き出した任意の位置で固定できる構造となっている。このような構造は、従来周知の構造であり、本願で例示する形態においても、同様の周知構造を適用することができる。なお、図１及び図２において、支柱３の周囲に示した弧状の両矢印は、後述するように支柱３が回動する方向を示している。
【００２３】
基台部４は、配置場所に載置するための配置台４０と、配置台４０の上面側の中心付近に配設された回動自在に嵌合する回動盤４１とを備え、回動盤４１には支柱３が連結されている。配置台４０の内部には、基軸４２が立設されており、回動盤４１は、基軸４２を回動軸として正逆方向（右回り／左回り）に回動する。回動盤４１の下方には、基軸４２に軸支された歯車として回転板４２０が設けられており、回転板４２０は、ギアを介して基軸モータ４３に歯合している。そして、基軸モータ４３が回動することにより、動力が回転板４２０を介して基軸４２に連結された回動盤４１に伝達されるので、回動盤４１は、基軸モータ４３により駆動される。
【００２４】
また、基台部４は、配置台４０内に、回動盤４１の位置を検出する位置検出部４４を備えており、位置検出部４４により、回動盤４１の角度を検出することができる。位置検出部４４としては、様々なセンサ及び機構を使用することが可能であり、複数のセンサ等を併用することも可能である。例えば、位置検出部４４としてポテンショメータ（可変抵抗器）４４ａを用いることが可能である。ポテンショメータ４４ａは、回動角度に応じて変化する抵抗値等の電気特性の変化に基づいて、回動角度を検出するセンサである。また、ポテンショメータ４４ａは、電源投入直後でも、支柱３の回動角度に係る絶対位置を検出することが可能である。ポテンショメータ４４ａは軸を回転することで出力電圧を可変する可変抵抗器により構成され、その軸に、回動盤４１の外周に形成された歯に歯合するギアを備えており、回転した際、正逆方向の向きを検出する。また、位置検出部４４としては、ポテンショメータ４４ａに限らず、抵抗式ポジションセンサ、ロータリーエンコーダ、ジャイロ、レゾルバ、ホールセンサ、フォトインタラプタ、フォトリフレクタ等の様々なセンサ及び機構を用いることが可能である。また、回動角度の絶対位置を検出するセンサに限らず、例えば、モータのＦＧパルス数、ステッピングモータのステップ数、ロータリーエンコーダ等の回動角度の相対位置を検出するセンサ及び機構を用いることも可能である。更に、位置検出部４４として、相対位置を検出するセンサを用いる場合は、併用して、支柱３の回動角度が限界となる規制角度にまで到達したか否かを検出するセンサを用いることが望ましい。
【００２５】
更に、基台部４は、配置台４０内に各種回路を搭載した基板として主制御部４５を収容しており、主制御部４５は、家庭用電源に接続する電源コードを介して電力の供給を受け、扇風機１内部の各種機構を制御する。
【００２６】
また、基台部４には、後述するように、使用者の操作を受け付ける操作部４６、並びに使用者に状況を報知する表示部４７及びスピーカ４８等の各種ユーザインターフェースが配置されている（図１０等参照）。
【００２７】
扇風機１内部には、電力及び制御信号を供給する電力線及び信号線を含む配線１０が収容されている。配線１０は、主制御部４５から、支柱３内部を通って、送風部２の副制御部２７へ接続され、副制御部２７から各種モータに接続されている。
【００２８】
送風部２の左右及び上下の首振りに関する構成を更に説明する。図３及び図４は、本願記載の扇風機１が備える送風部２の構成の一部を概念的に示す説明図である。図３は、送風部２を斜め前方からの視点で示しており、保持部２４を実線で示し、モータ収納部２３を二点鎖線で示している。図４は、送風部２を斜め後方からの視点で示しており、ファンモータ２１、左右首振りモータ２６、上下首振りモータ２５等のモータに関する機構を実線で示し、ファン２０、保持部２４及びモータ収納部２３を二点鎖線で示している。なお、図３及び図４において、弧状の両矢印は、左右又は上下の首振り方向を示している。また、図４は、各モータの位置を把握し易くするため、一部を誇張しながら全体として簡略化した図としている。
【００２９】
ファン２０は、ファンモータ２１の回転軸に直接取り付けられており、ファンモータ２１が回転することにより、回転する。左右首振りモータ２６は軸の先端にギアが取り付けられており、また、支柱３の上端には、周縁に歯が刻設された扇形のギアが形成されている。また、保持部２４の下端には、揺動軸２４２が設けられており、揺動軸２４２は、支柱３の上端に穿設された軸孔に揺動自在に挿嵌されている。図示しない機械的構造により、左右首振りモータ２６を下降させて先端のギアを支柱３の上端のギアと噛み合わせることにより、左右首振りモータ２６の回転に応じて送風部２が左右首振り動作を行う。また、保持部２４の腕部２４１には、モータ収納部２３側に向けて突接されたギアがあり、モータ収納部２３には、保持部２４側に向けて突出する上下首振りモータ２５の軸の先端にギアが取り付けられている。図示しない機械的構造により、保持部２４側のギアと上下首振りモータ２５の先端のギアとをかみ合わせることにより、上下首振りモータ２５の回転に応じて送風部２が上下首振り動作を行う。なお、このような左右首振りに関する機構及び上下首振りに関する機構は、周知構造を適用することが可能である。
【００３０】
支柱３の回動に関する構成を更に説明する。図５及び図６は、本願記載の扇風機１が備える基台部４が有する支柱３の回動に関する構成を説明するための概略断面図である。図７は、本願記載の扇風機１が備える基台部４が有する支柱３の回動状況を検出する機構に用いられる摺動子４０１の外観を示す概略斜視図である。
【００３１】
図５及び図６は、図２のＡ−Ａ断面において、配置台４０に嵌合する回動盤４１を示している。回動盤４１は、上面視円状の外径をなし、回動盤４１に連結された支柱３の回動を規制する規制部として機能する第１突起部４１０が設けられている。なお、回動盤４１に示した弧状の矢印は、回動方向を示している。回動盤４１を回動自在に内嵌する配置台４０は、回動盤４１を内嵌するための円状の凹部を有し、円状凹部の外側に外周の一部に沿った弧状の案内溝４００が形成されている。案内溝４００には、図７に示す摺動子４０１が弧状の案内溝４００に沿って摺動自在に配置されている。摺動子４０１は、上面視で弧状をなす案内部４０１ａと、案内部４０１ａの先端から回動盤４１側へ向けて突出する第２突起部４０１ｂとを有し、摺動子４０１の第２突起部４０１ｂは、回動盤４１の第１突起部４１０と係合して規制部として機能する。また、摺動子４０１の下方には、案内溝４００に刻設された案内溝４００に挿嵌する案内突起４０１ｃが形成されており、摺動子４０１は、案内突起４０１ｃを案内溝４００に挿嵌した状態で、案内溝４００が刻設された範囲内で案内溝４００に沿って摺動する。後述するように、回動盤４１及び回動盤４１に連結された支柱３は、右回り及び左回りにそれぞれ一回転させることが可能であるが、ここでいう一回転は、案内溝４００が刻設された範囲内で３６０°以上の角度での回転となる。即ち、案内溝４００により、回動盤４１及び回動盤４１に連結された支柱３が回動する範囲が、右回り及び左回りにそれぞれ３６０°（全範囲で７２０°）以上の所定範囲内に規制されることになる。
【００３２】
図５は、回動盤４１が右回りに回動する状況を（ａ）、（ｂ）、（ｃ）の順で示している。なお、ここでは上方からの視点（図に向かっての視点）での方向に基づいて左右を示す。図５（ａ）は、第１突起部４１０が図に向かって上側を向いた状態を原点として示しており、摺動子４０１は摺動範囲内での左端側に位置している。なお、回動盤４１は、図５（ａ）に示す原点の位置から左右に略同角度での回動が可能である。図５（ｂ）は、回動盤４１が、図５（ａ）に示す状態から右回りに回動し、第１突起部４１０が第２突起部４０１ｂに対して左側に当接した状態を示している。図５（ｃ）は、図５（ｂ）に示す状態から更に右回りに回動し、第１突起部４１０が第２突起部４０１ｂと係合して右端側の摺動限界まで摺動子４０１を押圧した状態を示している。なお、回動盤４１の右回りの回動は、第１突起部４１０及び第２突起部４０１ｂが回動を規制する規制部材として機能するため図５（ｃ）に示す規制角度の位置が限界となる。規制部材により、回動角度を規制することにより、使用者が人為的に支柱３を回転させた場合であっても、規制角度以上に回動することを防止することができる。従って、配線１０の捩れ及び捩れによる故障を防止することが可能である。
【００３３】
図６は、回動盤４１が左回りに回動する状況を（ａ）、（ｂ）、（ｃ）の順で示している。図６（ａ）は、第１突起部４１０が図に向かって上側を向いた状態を原点として示しており、摺動子４０１は摺動範囲内での右端側に位置する。図６（ｂ）は、図６（ａ）に示す状態から左回りに回動し、第１突起部４１０が第２突起部４０１ｂに対して右側に当接した状態を示している。図６（ｃ）は、図６（ｂ）に示す状態から更に左回りに回動し、第１突起部４１０が第２突起部４０１ｂと係合して左端側の摺動限界まで摺動子４０１を押圧した状態を示している。なお、回動盤４１の左回りの回動は、第１突起部４１０及び第２突起部４０１ｂが回動を規制する規制部材として機能するため図６（ｃ）に示す規制角度の位置が限界となる。
【００３４】
図５及び図６に示すように、回動盤４１及び回動盤４１に連結された支柱３は、回動の中点となる原点を基準に右回り及び左回りへそれぞれ一回転の範囲で回動可能であるが、支柱３の回動角度が規制角度以下となるように規制する規制部材が設けられており、規制角度を超えての回動はできないように構成されている。なお、ここでいう一回転とは、必ずしも丁度３６０°を示すものではなく、図５及び図６に例示するように規制した場合には、３６０°より若干広い範囲で回動することになる。また、規制部材の設計方法によっては、３６０°以下の角度に規制することも可能である。即ち、支柱３の回動範囲は、回動範囲の中点を基準に右回り及び左回りへそれぞれ一回転となる略３６０°の範囲である。また、位置検出部４４としてポテンショメータ４４ａを用いている場合、ポテンショメータ４４ａを用いて、回動角度が規制部材により規制される一端側の規制角度又は他端側の規制角度に到達したか否かを検出することができる。
【００３５】
また、上述した構成に限らず、例えば、基軸モータ４３に流れる負荷電流を検出する負荷電流センサを位置検出部４４として用い、負荷電流の検出値を判定に用いるように構成することも可能である。具体的には、通常回動時（第１突起部４１０が第２突起部４０１ｂと係合していない状態）と、回動規制時（第１突起部４１０が第２突起部４０１ｂと係合した状態又は係合して摺動限界まで摺動子４０１を押圧した状態）の基軸モータ４３に流れる負荷電流を、負荷電流センサを用いた位置検出部４４にて検出する。そして、検出した負荷電流の違いにより、回動角度が規制角度に到達したか否かを判定する等の様々な方法を用いることが可能である。
【００３６】
更に、位置検出部４４としては、ポテンショメータ４４ａのように絶対的な位置を検出するセンサに限る必要は無い。即ち、原点からの相対的な回動角度を検出するように構成した相対位置センサ４４ｂを位置検出部４４として用いることも可能である。また、相対位置センサ４４ｂを位置検出部４４として用いる場合、支柱３の回動角度が限界となる規制角度にまで到達したか否かを正確に検出ができないため、例えば後述する摺動子４０１の位置を検出するセンサのような規制角度への到達有無の検出機能を併用することが望ましい。
【００３７】
相対位置センサ４４ｂの構成例について説明する。図８は、本願記載の扇風機１が備える基台部４が有する支柱３の回動状況を検出する機構の要部を示す説明図である。図８は、位置検出部４４として用いられる相対位置センサ４４ｂの一例を示している。相対位置センサ４４ｂは、図８に示す反射板と発光部及び受光部（図示せず）とを用いて構成されている。図８に示す相対位置センサ４４ｂの反射板は、円盤状をなし、例えば、回動盤４１の下面において、基軸４２に軸支されており、回動盤４１と共に回動する。相対位置センサ４４ｂは、中心から周方向へ８等分した中心角４５°毎の角度として位置を検出するように構成されている。このため、相対位置センサ４４ｂの反射板の表面は、中心角が４５°となるように８等分された扇型の領域を形成している。また、相対位置センサ４４ｂの反射板の表面は、中心から同心円状に４分割されており、外側の３つの弧状の領域が位置検出に用いられる。そして、同心円状に４分割された２４個の弧状の領域は、それぞれ反射面（図８中の白抜きの領域）又は非反射面（図８中の斜線の領域）として形成されている。また、中心から周縁側へ径方向に並ぶ分割された弧状の領域は、反射面及び非反射面の並び方が４５°毎に異なっている。即ち、反射面を０とし、非反射面を１とすることにより、８等分されたそれぞれの扇型の領域は、２進数の「０００ｂ」〜「１１１ｂ」（１０進数の０〜７）に対応付けることが可能となる。また、発光部及び受光部は、基台部４の回動しない位置に固定されており、発光部から発した光にて回動可能な反射板を中心から周縁側へ走査し、反射板にて反射した光を受光部にて受光することにより、反射光の受光状況から回動盤４１の相対位置を検出することが可能となる。例えば、図９中の受発光素子Ｂの位置から、反射板を中心から周縁側へ径方向に走査した場合、非反射面、反射面、非反射面と走査することになるので、位置を示す情報として「０１０ｂ」（１０進数の２）を得ることができる。なお、反射板ではなく、透光板とし、透光板を透過した光の受光状況に基づいて回動盤４１の相対位置を検出するようにすることも可能である。上述した例では光学センサを用いたが、磁気センサ等様々なセンサを用いることが可能である。
【００３８】
図９は、本願記載の扇風機が備える基台部が有する支柱の回動状況を検出する機構の要部を示す説明図である。前述のように、原点からの相対的な回動角度を検出するように構成した相対位置センサ４４ｂを位置検出部４４として用いる場合、回動角度が限界となる規制角度にまで到達したか否かを検出する必要がある。そこで、例えば、図９に示すように、図５〜図７を用いて説明した摺動子４０１を用いた機構を位置検出部４４の一つとして用い、相対位置センサ４４ｂと併用する形態とすることも可能である。図９では、摺動子４０１が揺動範囲の一端側又は他端側に位置することを検出する位置検出部４４として、摺動子４０１には一つの磁石４０１ｄが配置されており、配置台４０側には２つの磁気近接センサ４０２（４０２ａ、４０２ｂ）が配置されている。位置検出部４４として機能する磁石４０１ｄ及び磁気近接センサ４０２により、摺動子４０１が図９（ａ）に示すように一端側の規制角度に位置するか、図９（ｂ）に示すように他端側の規制角度に位置するかを検出することができる。より詳細には、先に磁気近接センサ４０２ａがＯＮ状態となり、続いて磁気近接センサ４０２ｂがＯＮ状態となった場合は、正転方向（右回り方向）へ回動して回動角度が限界となる規制角度にまで到達したと判定することができ、先に磁気近接センサ４０２ｂがＯＮ状態となり、続いて磁気近接センサ４０２ａがＯＮ状態となった場合は、逆転方向（左回り方向）へ回動して回動角度が限界となる規制角度にまで到達したと判定することができる。よって、図９に例示する位置検出部４４と、相対位置センサ４４ｂとを併用することにより、原点からの相対的な回動角度がどの程度であるか、かつ、回動角度が限界となる規制角度にまで到達したか否かを検出することが可能となる。なお、位置検出部４４として上述した磁石４０１ｄ及び磁気近接センサ４０２を備えている場合、ポテンショメータ４４ａは不要となる。
【００３９】
次に、本願記載の扇風機１の制御構成について説明する。図１０は、本願記載の扇風機１が備える主制御部４５に関する構成例を示すブロック図である。主制御部４５は、基台部４内に配設されており、マイコン、その他の集積回路及び各素子を用いて構成されている。主制御部４５は、各種情報を記録する記録部４５０を備えており、記録部４５０には、各種プログラム及びデータ等の情報が記録されている。記録されているデータとしては、例えば、予め設定されている順序で順次実行される複数の稼働条件の設定を示す稼働条件情報等の情報がある。主制御部４５には、主電源部４５１、主制御部用リセット回路４５２、操作部４６、リモコン受信部４５３、位置検出部４４、主制御部用発振部４５４、基軸モータ駆動部４５５、表示部４７、スピーカ４８、制御信号送信部４５６等の各種構成が接続されている。
【００４０】
主電源部４５１は、家庭用電源からの交流電力の供給を受け、整流及び降圧を行い、主制御部４５に直流の電力を供給する。更に、主電源部４５１は、副制御部２７を含む機内の各負荷へ交流電力又は直流電力を供給する。
【００４１】
主制御部用リセット回路４５２は、起動時に主制御部４５に対してリセット信号を出力する回路である。
【００４２】
操作部４６は、各種押しボタン、操作パネル等の使用者の操作を受け付けるユーザインターフェースである。
【００４３】
リモコン受信部４５３は、リモコン送信部から送信される信号を受信する。
【００４４】
位置検出部４４は、基台部４に対する支柱３（配置台４０に対する回動盤４１）の位置（角度）に関する情報を検出するセンサを含む機構である。具体的には、前述の様にポテンショメータ４４ａ等の絶対位置を検出する機構、前述の用に磁気近接センサ４０２等の近接センサを用いて規制角度に到達したか否かを検出する機構、支柱３の回動が規制された状態の基軸モータ４３に流れる負荷電流にて検出する機構等の様々な機構を一つ又は複数用いて構成される。
【００４５】
主制御部用発振部４５４は、主制御部４５へクロック信号を出力する回路である。
【００４６】
基軸モータ駆動部４５５は、支柱３が連結された回動盤４１を回動させるための基軸モータ４３の動作を制御する回路である。即ち、基軸モータ４３及び基軸モータ駆動部４５５は、支柱３を設置場所に対して右回り及び左回りにそれぞれ一回転の範囲で回動させることが可能な駆動部として機能する。
【００４７】
表示部４７は、各種情報を表示する液晶パネル等のユーザインターフェースである。
【００４８】
スピーカ４８は、各種音声を出力するユーザインターフェースである。
【００４９】
制御信号送信部４５６は、主制御部４５の制御に基づく制御信号を副制御部２７へ送信する回路である。
【００５０】
図１１は、本願記載の扇風機１が備える副制御部２７に関する構成例を示すブロック図である。副制御部２７は、送風部２内に配設されており、マイコン等の集積回路を用いて構成されている。副制御部２７は、各種情報を記録する記録部２７０を備えており、記録部２７０には、各種プログラム及びデータ等の情報が記録されている。主制御部４５には、副電源部２７１、副制御部用リセット回路２７２、制御信号受信部２７３、副制御部用発振部２７４、ファンモータ駆動部２７５、左右首振りモータ駆動部２７６、上下首振りモータ駆動部２７７等の各種構成が接続されている。
【００５１】
副電源部２７１は、主電源部４５１からの電力の供給を受け、必要に応じて整流及び降圧を行い、副制御部２７に直流の電力を供給する。
【００５２】
副制御部用リセット回路２７２は、起動時に副制御部２７に対してリセット信号を出力する回路である。
【００５３】
制御信号受信部２７３は、主制御部４５から送信された制御信号を受信し、副制御部２７へ出力する回路である。
【００５４】
副制御部用発振部２７４は、副制御部２７へクロック信号を出力する回路である。
【００５５】
ファンモータ駆動部２７５は、ファンモータ２１を駆動する回路である。
【００５６】
左右首振りモータ駆動部２７６は、左右首振りモータ２６の動作を制御して、送風部２に左右首振り運動をさせる回路である。即ち、左右首振りモータ２６及び左右首振りモータ駆動部２７６は、送風部２を支柱３に対して揺動させる駆動部として機能する。
【００５７】
上下首振りモータ駆動部２７７は、上下首振りモータ２５の動作を制御して、送風部２に上下首振り運動をさせる回路である。即ち、上下首振りモータ２５及び上下首振りモータ駆動部２７７は、送風部２を支柱３に対して揺動させる駆動部として機能する。
【００５８】
図１０に示す主制御部４５及び図１１に示す副制御部２７が連携して、扇風機１が制御される。なお、主制御部４５及び副制御部２７を設けるのではなく、一つの制御部にて全体を制御することも可能である。
【００５９】
図１２は、本願記載の扇風機１が備える主制御部４５の記録部４５０に記録されている稼働条件情報の一例を概念的示す説明図である。図１２に例示した稼働条件情報は、予め設定されている順序で順次実行される複数の稼働条件の設定を示す情報である。図１２に例示した稼働条件情報は、１〜Ｍ（Ｍは自然数）の複数のタイマー設定情報を稼働条件情報として示している。稼働条件情報に含まれる各タイマー設定情報には、継続時間、風量、左右首振りＯＮ／ＯＦＦ、左右首振り角度、上下首振りＯＮ／ＯＦＦ、上下首振り角度、継続設定の有無、移動角度（基軸角度）又は終了角度等の各種情報がそれぞれ示されている。また、各タイマー設定情報は、タイマー設定情報１、タイマー設定情報２、…、タイマー設定情報Ｍの順で順次実行される。即ち、タイマー情報には、稼働条件を示す情報として、稼働時間に関する時間情報、支柱３の固定位置を示す位置情報、送風部２の揺動条件を示す揺動情報等の様々な情報が記録されている。
【００６０】
継続時間とは、当該タイマー設定情報として示した稼働条件を継続する時間を示している。
【００６１】
風量とは、ファンモータ２１の回転速度に基づく送風量であり、「強」、「中」、「弱」及び「停止」のうちから一つを選択することができる。
【００６２】
左右首振りＯＮ／ＯＦＦとは、左右首振り運転の実行要否を示しており、左右首振り運転実行時の首振り角度は、左右首振り角度として設定される。
【００６３】
上下首振りＯＮ／ＯＦＦとは、上下首振り運転の実行要否を示しており、上下首振り運転実行時の首振り角度は、上下首振り角度として設定される。
【００６４】
継続設定の有無とは、当該タイマー設定情報の次に実行されるべきタイマー設定情報の有無を示しており、タイマー設定情報１〜タイマー設定情報Ｍ−１は、継続設定「有」であり、タイマー設定情報Ｍでは、継続設定「無」となる。
【００６５】
移動角度とは、当該タイマー設定情報に基づく条件での稼働を終了後に、支柱３が連結された回転盤についての移動角度を示している。即ち、タイマー設定情報１に基づく条件での稼働を終了後に、タイマー設定情報１にて示されている移動角度で回転盤を回動し、タイマー設定情報２に基づく条件での稼働が開始される。なお、タイマー設定情報Ｍでは、終了後の回動盤４１の位置を終了角度として示すことになる。移動角度は、絶対角度で示しても、現在の角度からの相対的な角度で示しても良い。また、終了角度は、「現在位置で停止」、「原点復帰」、「設定されている位置（角度）への回動」のうちから設定される。
【００６６】
上述したタイマー設定情報は、使用者が、リモコン送信部を備えるリモコン又は扇風機１の操作部４６を操作して入力することにより設定される。
【００６７】
上述した扇風機１にて実施される制御の例について説明する。なお、各種フローチャートを用いて示す以降の制御の例は、上述した支柱３（回動盤４１）の回動角度に係る絶対位置を検出するポテンショメータ４４ａを用いた形態についての例である。図１３は、本願記載の扇風機１にて実施される主処理（メインルーチン）の一例を示すフローチャートである。扇風機１に電源が投入され、主制御部４５が起動すると、主制御部４５は、記録部４５０に記録されている各種プログラムの一つである主処理を実行する。
【００６８】
扇風機１が備える主制御部４５は、記録部４５０に記録されている設定情報を読み取り、タイマー設定の有無を判定する（Ｓ１０１）。
【００６９】
ステップＳ１０１において、タイマー設定が有ると判定した場合（Ｓ１０１：ＹＥＳ）、主制御部４５は、変数Ｎに「１」を代入する処理を実行する（Ｓ１０２）。なお、ステップＳ１０１において、タイマー設定が無いと判定した場合（Ｓ１０１：ＮＯ）、主制御部４５は、所定時間待機後、ステップＳ１０１の処理を繰り返す。
【００７０】
主制御部４５は、記録部４５０に記録されているタイマー設定情報Ｎを読み取る（Ｓ１０３）。ステップＳ１０３にて読み取るタイマー設定情報は、変数Ｎに応じて変化するが、変数Ｎに１を代入した最初の読取処理においては、変数Ｎ＝１であるので、タイマー設定情報１が読み取られる。
【００７１】
主制御部４５は、タイマー設定情報Ｎとして記録されている継続時間が経過したか否かを判定する（Ｓ１０４）。ステップＳ１０４では、当該タイマー設定情報によるタイマー設定に基づく運転の開始からの時間を継続時間として計測し、計測した時間が継続時間を越えるか否かを判定する。変数Ｎ＝１の場合は、タイマー設定情報１として記録されている継続時間を基準にステップＳ１０４の処理が実行される。
【００７２】
ステップＳ１０４において、継続時間が経過していないと判定した場合（Ｓ１０４：ＮＯ）、主制御部４５は、ファンモータ２１が運転中か否かを判定する（Ｓ１０５）。
【００７３】
ステップＳ１０５において、ファンモータ２１が運転中であると判定した場合（Ｓ１０５：ＹＥＳ）、主制御部４５は、運転中のファンモータ２１の風量を、タイマー設定情報Ｎとして記録されている設定風量に変更する（Ｓ１０６）。記録されている設定風量で運転されている場合、その風量での運転を継続する。なお、設定風量が「停止」である場合、ファンモータ２１の運転を停止することになる。
【００７４】
ステップＳ１０５において、ファンモータ２１が運転中ではないと判定した場合（Ｓ１０５：ＮＯ）、主制御部４５は、タイマー設定情報Ｎとして記録されている設定風量で運転を開始する（Ｓ１０７）。なお、記録されている設定風量が「停止」である場合、ファンモータ２１の停止状態を継続する。
【００７５】
そして、主制御部４５は、左右首振り運転中か否かを判定する（Ｓ１０８）。
【００７６】
ステップＳ１０８において、左右首振り運転中であると判定した場合（Ｓ１０８：ＹＥＳ）、主制御部４５は、左右首振り運転中の左右首振り角度を、タイマー設定情報Ｎとして記録されている左右首振り角度に変更する（Ｓ１０９）。記録されている左右首振り角度で運転されている場合、その左右首振り角度での運転を継続する。なお、タイマー設定情報Ｎに設定されている左右首振り運転が「ＯＦＦ」である場合、左右首振り運転を停止することになる。
【００７７】
ステップＳ１０８において、左右首振り運転中ではないと判定した場合（Ｓ１０８：ＮＯ）、主制御部４５は、タイマー設定情報Ｎとして記録されている左右首振り角度で首振り運転を開始する（Ｓ１１０）。なお、タイマー設定情報Ｎとして設定されている左右首振り運転が「ＯＦＦ」である場合、左右首振り運転の停止状態を継続する。
【００７８】
そして、主制御部４５は、上下首振り運転中か否かを判定する（Ｓ１１１）。
【００７９】
ステップＳ１１１において、上下首振り運転中であると判定した場合（Ｓ１１１：ＹＥＳ）、主制御部４５は、上下首振り運転中の上下首振り角度を、タイマー設定情報Ｎとして記録されている上下首振り角度に変更する（Ｓ１１２）。記録されている上下首振り角度で運転されている場合、その上下首振り角度での運転を継続する。なお、タイマー設定情報Ｎに設定されている上下首振り運転が「ＯＦＦ」である場合、上下首振り運転を停止することになる。
【００８０】
ステップＳ１１１において、上下首振り運転中ではないと判定した場合（Ｓ１１１：ＮＯ）、主制御部４５は、タイマー設定情報Ｎとして記録されている上下首振り角度で首振り運転を開始する（Ｓ１１３）。なお、タイマー設定情報Ｎとして設定されている上下首振り運転が「ＯＦＦ」である場合、上下首振り運転の停止状態を継続する。
【００８１】
ステップＳ１０５〜Ｓ１１３にて、ファンモータ２１、並びに左右首振り運転及び上下首振り運転の運転状況の監視及び制御後、主制御部４５は、ステップＳ１０４以降の処理を繰り返す。なお、主制御部４５は、副制御部２７を介して、ファンモータ２１、並びに左右首振り運転及び上下首振り運転の運転状況の監視及び制御を行う。
【００８２】
ステップＳ１０４において、継続時間が経過していると判定した場合（Ｓ１０４：ＹＥＳ）、主制御部４５は、タイマー設定情報Ｎとして設定されている継続設定の有無を判定する（Ｓ１１４）。
【００８３】
ステップＳ１１４において、継続設定「有」であると判定した場合（Ｓ１１４；ＹＥＳ）、主制御部４５は、タイマー設定情報Ｎ＋１に基づいて運転すべく支柱３の位置を調整する支柱位置調整処理をサブルーチンとして実行する（Ｓ１１５）。
【００８４】
ステップＳ１１５にて、支柱位置調整処理の実行が終了後、主制御部４５は、変数ＮにＮ＋１を代入（Ｎをインクリメント）して（Ｓ１１６）、ステップＳ１０３以降の処理を繰り返す。
【００８５】
ステップＳ１１４において、継続設定「無」であると判定した場合（Ｓ１１４：ＮＯ）、主制御部４５は、支柱３の位置を初期状態に戻す支柱位置移動終了処理をサブルーチンとして実行する（Ｓ１１７）。
【００８６】
ステップＳ１１７にて、支柱位置移動終了処理の実行が終了後、主制御部４５は、ファンモータ２１の運転並びに左右首振り運転及び上下首振り運転をそれぞれ停止し（Ｓ１１８）、主処理を終了する。また、主処理の終了に合わせて電源を切断するようにしても良い。このようにして主処理が実行される。
【００８７】
図１４は、本願記載の扇風機１にて実施される支柱位置調整処理の一例を示すフローチャートである。支柱位置調整処理は、主処理のステップＳ１１５にて起動されるサブルーチンであり、次のタイマー設定情報に合わせて支柱３の位置を調整する処理である。主制御部４５は、主処理のステップＳ１１５にてサブルーチンの呼び出し処理を実行し、記録部４５０に記録されている各種プログラムの一つである支柱位置調整処理を読み取って実行する。
【００８８】
扇風機１が備える主制御部４５は、位置検出部４４により、回動盤４１に連結された支柱３の位置を検出し（Ｓ２０１）、更に、タイマー設定情報Ｎとして設定されている移動角度が正転方向（右回り方向）への回動を示しているか否かを判定する（Ｓ２０２）。移動角度は、タイマー設定情報Ｎ＋１にて設定されている左右首振り運転の中心位置となる位置を、ポテンショメータ４４ａを用いて、支柱３（回動盤４１）の回動角度に係る絶対位置として検出する。
【００８９】
ステップＳ２０２において、正転方向への回動であると判定した場合（Ｓ２０２：ＹＥＳ）、主制御部４５は、基軸モータ４３を制御して、設定されている移動角度となるように正転方向へ、回動盤４１に連結された支柱３を回動させる（Ｓ２０３）。
【００９０】
ステップＳ２０２において、正転方向への回動ではない、即ち、逆転方向への回動であると判定した場合（Ｓ２０２：ＮＯ）、主制御部４５は、基軸モータ４３を制御して、設定されている移動角度となるように逆転方向へ、回動盤４１に連結された支柱３を回動させる（Ｓ２０４）。
【００９１】
支柱３を回動させた後、主制御部４５は、支柱位置調整処理を終了し、主処理のステップＳ１１６以降の処理を実行する。このようにして支柱位置調整処理が実行される。
【００９２】
図１５は、本願記載の扇風機１にて実施される支柱位置移動終了処理の一例を示すフローチャートである。支柱位置移動終了処理は、主処理のステップＳ１１７にて起動されるサブルーチンであり、最後のタイマー設定情報Ｍとして設定されている終了角度に合わせて支柱３の位置を調整する処理である。主制御部４５は、主処理のステップＳ１１７にてサブルーチンの呼び出し処理を実行し、記録部４５０に記録されている各種プログラムの一つである支柱位置移動終了処理を読み取って実行する。
【００９３】
扇風機１が備える主制御部４５は、タイマー設定情報Ｍとして設定されている支柱３の終了位置が現在位置で停止であるか否かを判定する（Ｓ３０１）。即ち、最後の動作設定となったタイマー設定情報Ｍに係る位置で終了するか否かを判定する。
【００９４】
ステップＳ３０１において、現在位置で停止であると判定した場合（Ｓ３０１：ＹＥＳ）、主制御部４５は、支柱位置移動終了処理を終了し、主処理のステップＳ１１８以降の処理を実行する。
【００９５】
ステップＳ３０１において、現在位置で停止ではないと判定した場合（Ｓ３０１：ＮＯ）、主制御部４５は、タイマー設定情報Ｍとして設定されている支柱３の終了位置が原点復帰であるか否かを判定する（Ｓ３０２）。原点復帰とは、予め設定されている原点位置に戻して終了することを意味している。また、原点復帰ではない場合、タイマー設定情報Ｍとして設定されている終了位置（設定角度）に移動させて終了となる。
【００９６】
ステップＳ３０２において、支柱３の終了位置が原点復帰であると判定した場合（Ｓ３０２：ＹＥＳ）、主制御部４５は、位置検出部４４により、回転盤に連結された支柱３の位置を検出する（Ｓ３０３）。そして、主制御部４５は、検出した支柱３の位置に基づいて原点復帰するために正転方向へ回動すべきか否かを判定する（Ｓ３０４）。ステップＳ３０３において、位置検出部４４として、ポテンショメータ４４ａを用いている場合、現在位置が、どちらの方向にどれだけ回転した位置であるかを検出することができる。従って、ステップＳ３０４において、回動方向については、位置検出部４４により検出した現在位置と、原点との関係に基づいて、捻れが解消する方向（現在位置が原点から正転方向であれば逆転方向に）となるように判定される。なお、仮に捻れが増方向へ回動したとしても、規制角度以上の回動は規制部材により規制されており、これ以上同方向へ回動できないためそれ以上捩れることはない。また、回動限界（摺動限界）に到達したことは、基軸モータ４３に流れる負荷電流を検出する負荷電流センサを用いた位置検出部４４にて検出するようにして、反転させるように制御することも可能である。
【００９７】
ステップＳ３０４において、正転方向へ回動すべきと判定した場合（Ｓ３０４：ＹＥＳ）、主制御部４５は、基軸モータ４３を制御して、原点まで正転方向へ、回動盤４１に連結された支柱３を回動させる（Ｓ３０５）。
【００９８】
ステップＳ３０４において、正転方向へ回動すべきではない、即ち、逆転方向へ回動すべきと判定した場合（Ｓ３０４：ＮＯ）、主制御部４５は、基軸モータ４３を制御して、原点まで逆転方向へ、回動盤４１に連結された支柱３を回動させる（Ｓ３０６）。
【００９９】
主制御部４５は、原点まで支柱３を回動後、支柱位置移動終了処理を終了し、主処理のステップＳ１１８以降の処理を実行する。
【０１００】
ステップＳ３０２において、支柱３の終了位置が原点復帰では無く、設定されている終了位置に移動させて終了すると判定した場合（Ｓ３０２：ＮＯ）、主制御部４５は、位置検出部４４により、回転盤に連結された支柱３の位置を検出する（Ｓ３０７）。そして、主制御部４５は、検出した支柱３の位置に基づいて設定角度へ移動させるために正転方向へ回動すべきか否かを判定する（Ｓ３０８）。位置検出部４４として、ポテンショメータ４４ａを用いている場合、回動方向については、位置検出部４４により検出した現在位置と、設定角度の位置との関係に基づいて、捻れが解消する方向となるように判定される。
【０１０１】
ステップＳ３０８において、正転方向へ回動すべきと判定した場合（Ｓ３０８：ＹＥＳ）、主制御部４５は、基軸モータ４３を制御して、設定角度まで正転方向へ、回動盤４１に連結された支柱３を回動させる（Ｓ３０９）。
【０１０２】
ステップＳ３０８において、正転方向へ回動すべきではない、即ち、逆転方向へ回動すべきと判定した場合（Ｓ３０８：ＮＯ）、主制御部４５は、基軸モータ４３を制御して、設定角度まで逆転方向へ、回動盤４１に連結された支柱３を回動させる（Ｓ３１０）。
【０１０３】
主制御部４５は、設定角度まで支柱３を回動後、支柱位置移動終了処理を終了し、主処理のステップＳ１１８以降の処理を実行する。
【０１０４】
このようにして、支柱位置移動終了処理が実行される。
【０１０５】
なお、上述した例では、位置検出部４４として、回動角度に係る絶対位置を検出するポテンショメータ４４ａを用いた形態について述べたが、本発明はこれに限らず、必ずしも絶対位置を検出する位置検出部４４を用いる必要は無い。例えば、位置検出部４４として、前述の相対位置センサ４４ｂ及び摺動子４０１を併用して、回転角度に係る絶対位置を判定する等、様々な形態に展開することが可能である。
【０１０６】
次に、本願記載の扇風機１について、タイマー設定に基づく運転の具体例について説明する。図１６乃至図２０は、本願記載の扇風機１にて実施される主処理の具体例について示す説明図である。図１６（ａ）は、タイマー設定情報１乃至３として設定されている運転が実施される時間を示しており、図１６（ｂ）、図１６（ｃ）及び図１６（ｄ）は、タイマー設定情報１乃至３の具体例を、図１６（ａ）に示す時間と対応付けて示している。図１７乃至図１９は、図１６に示したタイマー設定情報１乃至３に基づく扇風機１の動作を示している。なお、図１７乃至図１９の（ａ）は、扇風機１の送風部２の左右首振り運転を上方からの視点で示しており、（ｂ）は、送風部２の上下首振り運転を側方からの視点で示している。図２０は、タイマー設定情報１乃至３に基づく扇風機１の動作が終了した後の扇風機１の送風部２の状態を上方からの視点で示している。
【０１０７】
図１６乃至図２０に例示した具体例では、先ず、図１６（ｂ）に示すタイマー設定情報１に基づいての運転が実施される。タイマー設定情報１では、継続時間「２Ｈ」、風量「強」、左右首振り「ＯＮ」、左右首振り角度「α°」、上下首振り「ＯＮ」、上下首振り角度「β°」、継続設定「有」、移動角度「−１８０°」として設定されている。タイマー設定情報１に基づく運転は、図１６（ａ）に示すように２時間継続して実施される。この場合の風量は、「強」である。また、図１７（ａ）に示すように左右首振りは、原点（０°）を中心としてα°の角度で実施され、図１７（ｂ）に示すように上下首振り角度は、β°の角度で実施される。そして、継続時間である２時間が経過後、継続設定「有」及び移動角度「−１８０°」となっているため、逆転方向（左回り）に１８０°回動し、タイマー設定情報２に基づく運転を開始する。
【０１０８】
タイマー設定情報２では、継続時間「１Ｈ」、風量「中」、左右首振り「ＯＮ」、左右首振り角度「θ°」、上下首振り「ＯＮ」、上下首振り角度「δ°」、継続設定「有」、移動角度「−９０°」として設定されている。タイマー設定情報２に基づく運転は、図１６（ａ）に示すように１時間継続して実施される。この場合の風量は、「中」である。また、図１８（ａ）に示すように左右首振りは、原点の反対側である−１８０°の位置を中心としてθ°の角度で実施され、図１８（ｂ）に示すように上下首振り角度は、δ°の角度で実施される。そして、継続時間である１時間が経過後、継続設定「有」及び移動角度「−９０°」となっているため、逆転方向に９０°回動し、タイマー設定情報３に基づく運転を開始する。
【０１０９】
タイマー設定情報３では、継続時間「１Ｈ」、風量「弱」、左右首振り「ＯＦＦ」、左右首振り角度「０°」、上下首振り「ＯＦＦ」、上下首振り角度「０°」、継続設定「無」、移動角度（終了角度）「原点復帰」として設定されている。タイマー設定情報３に基づく運転は、図１６（ａ）に示すように１時間継続して実施される。この場合の風量は、「弱」である。また、図１９（ａ）及び図１９（ｂ）に示すように左右首振り動作及び上下首振り動作は実施されない。そして、継続時間である１時間が経過後、継続設定「無」であるため、移動角度は、終了角度と解釈され、終了角度が「原点復帰」となっているため、図２０に示すように逆転方向に９０°回動して原点位置に復帰し、その状態で運転を終了する。
【０１１０】
次に、本願記載の扇風機１について、タイマー設定に基づく使用例について説明する。図２１乃至図２３は、本願記載の扇風機１の使用例を示す説明図である。図２１乃至図２３は、夜間における室内での扇風機１の使用例を時系列で示している。図２１は、就寝前に使用者がベッドで読書をしている状態を示しており、扇風機１は、使用者を中心として左右首振り運転をしている。図２２は、図２１から時間が経過した夜中の状態を示しており、扇風機１は、窓側を向いて稼働しており、室内の熱気を屋外へ送ることになる。図２３は、図２２から更に時間が経過した明け方の状態を示しており、扇風機１は、窓を背にしてドア側を向いて稼働しており、屋外の冷えた新鮮な空気を室内に取り込むことになる。
【０１１１】
上述した例では、タイマー設定情報として、継続時間、風量、左右首振りＯＮ／ＯＦＦ、左右首振り角度、上下首振りＯＮ／ＯＦＦ、上下首振り角度、継続設定の有無、移動角度（基軸角度）の８つの設定情報を用いたが、必ずしも全て用いる必要はない。例えば、本発明に係る扇風機１として、風量固定、上下首振り無し、左右首振り角度固定等の規格の安価な扇風機に、支柱３を回動可能な回動盤４１及び配置台４０を備える基台部４を組み合わせて構成する場合、タイマー設定情報は、継続時間、左右首振りＯＮ／ＯＦＦ、継続設定の有無、移動角度（基軸角度）の４つとなる。このような安価な扇風機としては、首振機構の駆動源としてファンモータを利用し、ファンモータと首振機構との間に電磁クラッチ、電磁プランジャー、ソレノイド等の機構を設け、この電磁クラッチ等の機構を通断電制御することにより、頭部の首振を制御する従来から周知の扇風機を用いることが可能である。例えば、特公平０７−０３０７５５号公報、特公平０４‐０５６１５９号公報等の公報に記載されているような扇風機がこのような従来から周知の扇風機として挙げることができる。
【０１１２】
以上のように、本願記載の扇風機１は、送風部２が首振り運動により揺動すると共に、支柱３を右回り及び左回りにそれぞれ一回転させることが可能である。従って、状況に応じた首振り運転を実現することが可能となる。なお、揺動及び回動に関する機構において、支柱３の回動に関する機構以外の機構については、既存技術を用いることも可能であるので、全体として製造コストを抑制することが可能である。しかも、送風部２は、支柱３を右回り及び左回りにそれぞれ一回転させることが可能でありながらも、所定の規制角度以上には回動しないように規制されている。従って、内部の配線１０が必要以上に捩れて故障の原因となることを防止することが可能である。なお、配線１０が捩れることを防止するためには、例えば、配線１０途中に可動接点を設けることでも実現可能であるが、その場合、装置の複雑化、製造コストの高騰等の問題が生じる。
【０１１３】
更に、本願記載の扇風機１は、設定されている複数の稼働条件情報に基づいて運転することにより、タイマー運転の方法を拡張し、状況に応じた首振り運転を実現することが可能である。
【０１１４】
本発明は、以上説明した実施形態に限定されるものではなく、他のいろいろな形態で実施することが可能である。そのため、上述した実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形及び変更は、全て本発明の範囲内のものである。
【０１１５】
例えば、前記実施形態では、基台部４の回動盤４１が回動することにより、回動盤４１に連結する支柱３が回動する形態を示したが、本発明はこれに限らず、支柱３を構成する支持杆３０に対し、摺動杆３１が回動する等、支柱３の一部が回動するようにしても良い。即ち、送風部２を支持する部分の支柱３が設置場所に対して支柱３を右回り及び左回りにそれぞれ一回転させることが可能であれば、様々な構成に展開することが可能である。
【０１１６】
また、例えば、前記実施形態としては、支持部として、長軸状の支柱３を例示して示したが、本発明はこれに限らず、送風部２を側部から挟持するＵ字状の支持部を用いてサーキュレータとして構成する等、様々な形態に展開することが可能である。
【０１１７】
更に、例えば、前記実施形態としては、床を配置場所として基台部４を床に載置する形態を示したが、本発明はこれに限らず、天井又は壁を配置場所として基台部４を配設する等、様々な形態に展開することが可能である。
【符号の説明】
【０１１８】
１          扇風機
１０        配線
２          送風部
２０        ファン
２１        ファンモータ
２４        保持部
２５        上下首振りモータ（第３駆動部）
２６        左右首振りモータ（第１駆動部）
２７        副制御部
２７０      記録部
２７５      ファンモータ駆動部
２７６      左右首振りモータ駆動部（第１駆動部）
２７７      上下首振りモータ駆動部（第３駆動部）
３          支柱（支持部）
４          基台部
４０        配置台
４０１      摺動子
４０１ｂ    第２突起部（規制部）
４０１ｄ    磁石（位置検出部）
４０２      磁気近接センサ（位置検出部）
４１        回動盤
４１０      第１突起部（規制部）
４２        基軸
４３        基軸モータ（第２駆動部）
４４        位置検出部
４４ａ      ポテンショメータ（位置検出部）
４４ｂ      相対位置センサ（位置検出部）
４５        主制御部
４５０      記録部
【図１】
2018204559.tif 000003
【図２】
2018204559.tif 000004
【図３】
2018204559.tif 000005
【図４】
2018204559.tif 000006
【図５】
2018204559.tif 000007
【図６】
2018204559.tif 000008
【図７】
2018204559.tif 000009
【図８】
2018204559.tif 000010
【図９】
2018204559.tif 000011
【図１０】
2018204559.tif 000012
【図１１】
2018204559.tif 000013
【図１２】
2018204559.tif 000014
【図１３】
2018204559.tif 000015
【図１４】
2018204559.tif 000016
【図１５】
2018204559.tif 000017
【図１６】
2018204559.tif 000018
【図１７】
2018204559.tif 000019
【図１８】
2018204559.tif 000020
【図１９】
2018204559.tif 000021
【図２０】
2018204559.tif 000022
【図２１】
2018204559.tif 000023
【図２２】
2018204559.tif 000024
【図２３】
2018204559.tif 000025